(57)【要約】      （修正有）【課題】プラスチック製ボタン本体の前開口空間域に内容物放出用の金属ノズルを取り付ける場合に、当該金属ノズルと当該前開口空間域との当接状態でそれぞれの対向域間に設定される放出側通路部が変形したり、つぶれたりすることを防止する。【解決手段】金属ノズル４を、ボタン本体２の前開口空間域２ｅに直接取り付けるのではなく、先ず金属ノズル４とプラスチック製ノズルホルダー３との放出側一体物を設定した上で、これがボタン本体出力側の前開口空間域２ｅに組み入れられる形とし、かつ、プラスチック製のノズルホルダー後端側で金属ノズルなしの露出部分に、ボタン本体２の前開口空間域内面（環状底面２ｆ）と当接する板バネ３ａを設けた。【選択図】図１
2016078870.tif 000002
【特許請求の範囲】
【請求項１】
弁機能を持つステムと連通して容器本体の内容物が通過する上流通路部およびその出力側の前開口空間域を有する本体部の当該前開口空間域に、外部空間域への内容物放出用の金属ノズルが、プラスチック製のノズルホルダーと結合した放出側一体物の形で組み入れられた内容物放出構造であって、
前記放出側一体物は、
後開口鞘状部、およびその後側に前記金属ノズルと結合しない状態で形成されて前記出力側の前開口空間域の後内面部分との当接作用により変化する弾性部を、備えたノズルホルダーと、
当該後開口鞘状部に取り付けられて、前記内容物が外部空間域に放出される孔部を有する前記金属ノズルと、からなり、
前記ノズルホルダーと前記金属ノズルとの間に前記上流通路部および前記孔部を連通させる下流通路部が形成されている、
ことを特徴とする内容物放出構造。
【請求項２】
前記弾性部は、
前記ノズルホルダーの、前記金属ノズルと結合している前側部分の後端部より、それぞれ後方に延びる複数の弾性脚部である、
ことを特徴とする請求項１記載の内容物放出構造。
【請求項３】
前記ノズルホルダーは、
前記後開口鞘状部の外周面に、
前記下流通路部の構成要素である複数の前後方向溝状部を備え、
前記金属ノズルと当接する前端面に、
前記孔部に通じる内容物旋回用の中央凹部と、それぞれ前端面外縁側の異なる流入口から当該中央凹部へ続く複数の渦巻き溝状部と、当該前後方向溝状部の流出口および当該流入口のそれぞれを連通させる環状の外縁流路と、を備え、
前記金属ノズルは、
その内面で、前記前後方向溝状部，前記中央凹部，前記渦巻き溝状部および前記外縁流路の開口を塞ぎ、
前記複数の前記前後方向溝状部の前記流出口はそれぞれ、
その両隣の、前記渦巻き溝状部の流入口間の周方向中間位置に形成されている、
ことを特徴とする請求項１または２記載の内容物放出構造。
【請求項４】
請求項１乃至３のいずれかに記載の内容物放出構造を備え、かつ、噴射剤および放出対象内容物を収容した、
ことを特徴とするエアゾール式製品。
【請求項５】
請求項１乃至３のいずれかに記載の内容物放出構造を備え、かつ、放出対象内容物を収容した、
ことを特徴とするポンプ式製品。
【発明の詳細な説明】
【技術分野】
【０００１】
本発明は、ステムと連通して容器本体内容物が通過する通路部およびその出力側の前開口空間域からなる操作ボタンなどの本体部と、この前開口空間域に配設される金属ノズルとを備えた内容物放出構造に関する。
【０００２】
特に、金属ノズルを先ずプラスチック製のノズルホルダー（いわゆる樹脂コマ）に取り付けた上で、この一体化した金属ノズルおよびノズルホルダーを本体部出力側の前開口空間域に押し込んで組み入れる、ことにより作成される内容物放出構造に関する。以下、この金属ノズルおよびノズルホルダーの一体物を「放出側一体物」という。
【０００３】
本発明の内容物放出構造は、ノズルホルダーの後端側露出部分に、すなわち金属ノズルでいわばカバーされていない後端側部分に弾性脚部などの弾性部を有している。
【０００４】
この弾性部により、放出側一体物の組入れ中・組入れ後におけるノズルホルダー後端部分と前開口空間域内面部分との当接態様にともなう、金属ノズルおよびノズルホルダーの対向域などにおける放出側通路部の変形やつぶれなどの発生を阻止している。
【０００５】
本発明の内容物放出構造は、エアゾール式製品およびポンプ式製品のそれぞれに搭載可能である。
【０００６】
本明細書では必要に応じて、内容物放出構造の長手方向（図１，図２の左右方向）における金属ノズル側（図１，図２の左側，図３の上側）を「前」といい、その反対側（図１，図２の右側，図３の下側）を「後」という。また、図１および図２の左右方向を「横」とし、同図の上下方向を「縦」とする。
【背景技術】
【０００７】
従来、プラスチック製ボタンの出力側の前開口空間域に内容物放出用の金属ノズルを取り付けて、外部空間域に放出する内容物パターンの安定化を図る内容物放出構造が提案されている（特許文献１参照）。
【先行技術文献】
【特許文献】
【０００８】
【特許文献１】特開２０１２−７０９９０号公報
【発明の概要】
【発明が解決しようとする課題】
【０００９】
この従来の、プラスチック製ボタンの前開口空間域に内容物放出用の金属ノズルを取り付けた内容物放出構造の場合、金属ノズルと前開口空間域との当接状態でそれぞれの対向域間に設定される放出側通路部が変形したり、つぶれたりするという問題点があった。
【００１０】
この変形やつぶれが生じるのは、金属ノズルの放出側通路部形成用の後端部分などが前開口空間域のプラスチック製内面に強く当接するからである。
【００１１】
本発明では、
(11)内容物放出パターン安定化用の金属ノズルを、ボタンなどの本体部の前開口空間域に直接取り付けるのではなく、先ず金属ノズルとプラスチック製ノズルホルダーとの放出側一体物を設定した上で、これが本体部出力側の前開口空間域に組み入れられる形とし、
(12)かつ、プラスチック製のノズルホルダー後端側で金属ノズルなしの露出部分に、ボタンなどの本体部の前開口空間域内面と当接する板バネなどの弾性部を設定している。
【００１２】
本発明は、この弾性部の、ボタン本体などの本体部の前開口空間域内面と当接したときの変化（変形・変位）作用により、金属ノズルとの間に設定される放出側通路部が変形したり、つぶれたりすることの阻止化を図ること目的とする。
【００１３】
さらには、
(13)プラスチック製のノズルホルダーの前端面（金属ノズル底部との当接部分）に複数形成した旋回流形成用の渦巻き溝状部のそれぞれへの流入内容物量を略均等化している。
【００１４】
本発明はこれにより、複数の渦巻き溝状部から旋回用合流部および孔部を経て外部空間域へ放出される内容物の勢いや粒子径の安定化を図ることを目的とする。
【課題を解決するための手段】
【００１５】
本発明は、以上の課題を次のようにして解決する。
（１）弁機能を持つステムと連通して容器本体の内容物が通過する上流通路部（例えば後述のＬ字状通路部２ｄ）およびその出力側の前開口空間域（例えば後述の前開口空間域２ｅ）を有する本体部の当該前開口空間域に、外部空間域への内容物放出用の金属ノズル（例えば後述の金属ノズル４）が、プラスチック製のノズルホルダー（例えば後述のノズルホルダー３）と結合した放出側一体物の形で組み入れられた内容物放出構造であって、
前記放出側一体物は、
後開口鞘状部（例えば後述の後開口鞘状部３ｃ）、およびその後側に前記金属ノズルと結合しない状態で形成されて前記出力側の前開口空間域の後内面部分（例えば後述の環状底面２ｆ）との当接作用により変化する弾性部（例えば後述の板バネ３ａ）を、備えた前記ノズルホルダーと、
当該後開口鞘状部に取り付けられて、前記内容物が外部空間域に放出される孔部（例えば後述の孔部４ｂ）を有する前記金属ノズルと、からなり、
前記ノズルホルダーと前記金属ノズルとの間に前記上流通路部および前記孔部を連通させる下流通路部（例えばノズルホルダー内部空間域および後述の貫通部３ｄ，直進溝状部３ｅ，外縁環状空間域３ｈ，渦巻き溝状部３ｇ，中央凹部３ｆ）が形成された、
構成態様のものを用いる。
（２）上記（１）において、
前記弾性部は、
前記ノズルホルダーの、前記金属ノズルと結合している前側部分の後端部（例えば後述の環鍔状部３ｂ）より、それぞれ後方に延びる複数の弾性脚部である、
ことを特徴とする請求項１記載の内容物放出構造。
（３）上記（１），（２）において、
前記ノズルホルダーは、
前記後開口鞘状部の外周面に、
前記下流通路部の構成要素である複数の前後方向溝状部（例えば後述の直進溝状部３ｅ）を備え、
前記金属ノズルと当接する前端面に、
前記孔部に通じる内容物旋回用の中央凹部（例えば後述の中央凹部３ｆ）と、それぞれ前端面外縁側の異なる流入口から当該中央凹部へ続く複数の渦巻き溝状部（例えば後述の渦巻き溝状部３ｇ）と、当該前後方向溝状部の流出口および当該流入口のそれぞれを連通させる環状の外縁流路（例えば後述の外縁環状空間域３ｈ）と、を備え、
前記金属ノズルは、
その内面で、前記前後方向溝状部，前記中央凹部，前記渦巻き溝状部および前記外縁流路の開口を塞ぎ、
前記複数の前記前後方向溝状部の前記流出口はそれぞれ、
その両隣の、前記渦巻き溝状部の流入口間の周方向中間位置に形成された、
構成態様のものを用いる。
【００１６】
このような構成からなる内容物放出構造ならびに当該内容物放出構造を備えたエアゾール式製品およびポンプ式製品を本発明の対象としている。
【発明の効果】
【００１７】
本発明は以上の課題解決手段により、
(21)内容物放出パターン安定化用の金属ノズルとの間に設定される放出側通路部が変形したり、つぶれたりすることを阻止し、
(22)複数の渦巻き溝状部から旋回用合流部および孔部を経て外部空間域へ放出される内容物の勢いや粒子径を安定化する、
といった効果を奏している。
【図面の簡単な説明】
【００１８】
【図１】プラスチック製のノズルホルダーと金属ノズルとの放出側一体物をプラスチック製のボタン本体に取り付けた内容物放出構造の縦断面を示す説明図である。
【図２】図１のノズルホルダー，金属ノズルおよびボタン本体の部分の拡大縦断面を示す説明図である。
【図３】図１および図２のノズルホルダーと金属ノズルとの関連構成を示す説明図である。
【発明を実施するための形態】
【００１９】
図１〜図３を用いて本発明を実施するための形態を説明する。
【００２０】
上述したように、本発明の内容物放出構造はエアゾール式製品およびポンプ式製品の双方に搭載して使用されえるが、以下の記載では単なる説明の便宜上、必要に応じてエアゾール式製品を前提とする。
【００２１】
なお、原則として、各図で用いるアルファベット付き参照番号の構成要素（例えば縦円筒状部２ｂ）は当該参照番号の数字部分の構成要素（例えばボタン本体２）の一部であるといえる。
【００２２】
図１および図２において、
１は後述の放出対象内容物および噴射剤を収容する周知の容器本体に常時、すなわち内容物放出操作時・内容物放出作動時も含めて取り付けられたままのカバーキャップ，
２は回動可能な態様でカバーキャップ１と一体成形されて、周知の弁作用を呈するステム（図示省略）に取り付けられたボタン本体，
２ａは当該ボタン本体の前下端側のカバーキャップ１との連続部分に形成されて、内容物放出操作時の回動中心として作用する回動基部，
２ｂは当該ボタン本体の中央に形成されてステム流出側と嵌合する縦円筒状部，
２ｃは縦円筒状部２ｂの上部分からその下流側に連続形成された横円筒状部，
２ｄは縦円筒状部２ｂおよび横円筒状部２ｃからなる放出対象内容物のＬ字状通路部（上流通路部），
２ｅは横円筒状部２ｃの前端側内部に設定される前開口空間域，
２ｆは前開口空間域２ｅの後端側に形成されて、後述のノズルホルダー３の後端部分が当接する環状底面（前開口空間域の後内面部分），
２ｇは前開口空間域２ｅの内周面部分に形成されて、内容物放出構造の組立工程などに放出側一体物（ノズルホルダー＋金属ノズル）がこの前開口空間域に本来の位置よりも奥の後方向へと過インサートされる、ことを阻止しえる環状段部，
２ｈは前開口空間域２ｅの開口部よりも少し小さめの中径態様で環状段部２ｇからその前方に連続形成されて、後述のノズルホルダー３の環鍔状部３ｂおよび金属ノズル４の環状カール部４ｄ（の外前端側部分）がそれぞれ食い込み係合する中径内周面，
をそれぞれ示している。
【００２３】
また、
３はボタン本体２の前開口空間域２ｅに取り付けられて、内容物の出力流路を形成するノズルホルダー，
３ａは当該ノズルホルダーの後側に周方向等間隔の前後方向態様で複数形成されて、それぞれの後端部分が、ボタン本体２の環状底面２ｆの外縁部分およびそこから前方向に連続する内周面後端部分に当接する、弾性脚部としての計四個の板バネ（弾性部），
３ｂは板バネ３ａの前端側環状基部に相当し、当該ノズルホルダーがボタン本体２へ真正に取り付けられた通常の場合には、その環状段部２ｇから前方に離間した位置にてボタン本体の中径内周面２ｈに食い込み係合のシール状態で密接し、かつ、後述の金属ノズル４の環状カール部４ｄの後端部分を受けて保持する環鍔状部（ノズルホルダー前側部分の後端部），
３ｃは環鍔状部３ｂから前方に連続して、ボタン本体２のＬ字状通路部２ｄの下流側相当の内容物通過域を構成する後開口鞘状部，
３ｄは後開口鞘状部３ｃの後端側対向部分にそれぞれ形成されて、その内外を連通させる内容物通過用の一対の貫通部（下流通路部），
３ｅは貫通部３ｄそれぞれの外開口側から連続して外周面前方向（長手方向）に形成された内容物通過用の計二個の直進溝状部（下流通路部，前後方向溝状部），
３ｆは後開口鞘状部３ｃの前端面に形成された内容物旋回合流用の中央凹部（下流通路部，旋回用合流部），
３ｇは後開口鞘状部３ｃの前端面に、その異なる外縁部分からそれぞれ中央凹部３ｆへと続き、全体としては周方向の略９０度間隔の態様で形成された内容物通過用の計四個の渦巻き溝状部（下流通路部），
３ｈは後開口鞘状部３ｃの前端面外縁側に設定されて、直進溝状部３ｅの計二個の流出口および渦巻き溝状部３ｇの計四個の流入口の全体を互いに連通させる内容物通過用の外縁環状空間域（下流通路部，外縁流路），
をそれぞれ示している。
【００２４】
また、
４はノズルホルダー３の後開口鞘状部３ｃの外面側に取り付けられて、外部空間域への放出内容物のパターン形状の安定化作用を呈する帽子状の金属ノズル，
４ａは後開口鞘状部３ｃの前端面と当接する円形状底部，
４ｂは円形状底部４ａの中央部分にノズルホルダー３の中央凹部３ｆと対向する態様で形成された内容物放出用の孔部，
４ｃは円形状底部４ａから後方に連続して、その内周面が後開口鞘状部３ｃの外周面と当接する円筒状部，
４ｄは円筒状部４ｃの後端から外方に前後方向断面が前開口のＵ字状の態様で延びて、ボタン本体２の前開口空間域２ｅの中径内周面２ｈにいわば食い込み係合のシール状態で密接する環状カール部，
をそれぞれ示している。
【００２５】
また、
Ａは孔部４ｂから外部空間域への内容物放出方向，
Ｂはボタン本体２の上面後側部分に対する押下げ回動操作方向，
をそれぞれ示している。
【００２６】
ここで、カバーキャップ１，ボタン本体２およびノズルホルダー３はポリプロピレン，ポリエチレン，ポリアセタール，ナイロン，ポリブチレンテレフタレートなどからなるプラスチック製のものである。
【００２７】
また、金属ノズル４はステンレスやチタンなどの各種金属製のものである。ボタン本体２としては各種金属製のものも用いられる。
【００２８】
図示の内容物放出構造の基本的特徴は、
(31)ボタン本体２の一部であってＬ字状通路部２ｄの下流側に設定された前開口空間域２ｅに、その開口側から後方へ、「ノズルホルダー３＋金属ノズル４」の放出側一体物を組み入れることを前提とし、
(11)この放出側一体物の組入れ最終段階などで前開口空間域２ｅの環状底面２ｆと当接するノズルホルダー後端側部分を弾性脚部の板バネ３ａで形成した、
ことである。
【００２９】
このように環状底面２ｆと当接するノズルホルダー後端側を板バネ３ａに設定しているので、放出一体物「ノズルホルダー３＋金属ノズル４」が当該環状底面に当接した後のさらなる後方向への組入れ最終段階においては、当該板バネが積極的に弾性変化する。
【００３０】
この板バネ３ａの積極的な弾性変化により、組入れ最終段階のプラスチック製のノズルホルダー３が金属ノズル４に食い込んで変形することを阻止している。
【００３１】
すなわち板バネ３ａの積極的な弾性変化は、ノズルホルダー３が金属ノズル４へ食い込んで変形することをいわば肩代わりしている。
【００３２】
そのため、放出側一体物の組入れ終了後も、そのノズルホルダー３と金属ノズル４との間に設定済みの複数の内容物通過部（直進溝状部３ｅ，中央凹部３ｆ，渦巻き溝状部３ｇ，外縁環状空間域３ｈなど）は、それぞれ組入れ前の初期形状に略維持される。
【００３３】
このような組入れ終了後における内容物通過部の初期形状維持により、孔部４ｂから外部空間域へ流出する内容物放出パターンおよび内容物放出量それぞれの安定化を図っている。
【００３４】
図示の内容物放出構造の組立て手順は、概略次のようになる。
(31)帽子状の金属ノズル４を、ノズルホルダー３にその後開口鞘状部３ｃの外面（前端面および外周面）に被せる態様で取り付けて、当該ノズルホルダーと当該金属ノズルとの放出側一体物を設定し（図３参照），
(32)この放出側一体物（ノズルホルダー３＋金属ノズル４）を、その板バネ３ａの方からボタン本体２の前開口空間域２ｅへ組み入れていく、すなわち押しこんでいく。
【００３５】
上記(31)で設定される放出側一体物は、
・ノズルホルダー３の直進溝状部３ｅ，中央凹部３ｆ，渦巻き溝状部３ｇおよび外縁環状空間域３ｈがそれぞれ金属ノズル４の円形状底部４ａおよび内周面（円筒状部４ｃ）に覆われ、
すなわちこれら直進溝状部３ｅ，中央凹部３ｆ，渦巻き溝状部３ｇおよび外縁環状空間域３ｈなどが形成されていない部分が金属ノズル４の円形状底部４ａおよび内周面（円筒状部４ｃ）に当接し、
・金属ノズル４の環状カール部４ｄの後端部分がノズルホルダー３の環鍔状部３ｂの前側面部分に当接している。
【００３６】
上記(32)で設定される内容物放出構造（ボタン本体２＋放出側一体物３，４）は、
・ノズルホルダー３の板バネ３ａの後端部分がボタン本体２の環状底面２ｆに当接して保持され、
・ノズルホルダー３の環鍔状部３ｂの環状外周部分がボタン本体２の環状段部２ｇから前方への離間位置で当該ボタン本体の中径内周面２ｈに食い込み係合した密接シール状態となり、
・ノズルホルダー３と金属ノズル４との係合関係が上記（31）の状態に維持され、
・金属ノズル４の環状カール部４ｄの環状外周部分が環鍔状部３ｂのいわば前隣側でボタン本体２の中径内周面２ｈに食い込み係合した密接シール状態になっている。
【００３７】
上述したように、ノズルホルダー３および金属ノズル４の放出側一体物が、その板バネ３ａと環状底面２ｆとの当接状態でさらに奥の後方に押し込まれる場合、その押し込み程度に応じて当該板バネが自弾性力に抗しながら変形・変位する。
【００３８】
この板バネ３ａの変形・変位作用により、ノズルホルダー３および金属ノズル４の放出側一体物に対して奥後方へのさらなる上記押し込み処理が行われる際にも、プラスチック製のノズルホルダー３が金属ノズル４に食い込んで変形・変位することを防止している。
【００３９】
このノズルホルダー３の変形・変位防止作用により、これと金属ノズル４との間に設定済みの内容物通過部（直進溝状部３ｅ，中央凹部３ｆ，渦巻き溝状部３ｇ，外縁環状空間域３ｈなど）の形状変化が阻止される。
【００４０】
この形状変化阻止により、孔部４ｂから外部空間域へ流出する内容物放出パターンおよび内容物放出量それぞれの安定化を図ることができる。
【００４１】
図１の内容物放出構造（カバーキャップ１，ボタン本体２，ノズルホルダー３および金属ノズル４）を取り付けたエアゾール式製品において、ボタン本体２の上面後側部分をＢ方向に押し下げることにより内容物放出状態の作動モードが設定される。
【００４２】
このとき、ステム側の周知の弁作用部が開いて、カバーキャップ１と一体の容器本体に収容済みの放出対象内容物は、噴射剤の作用により金属ノズル４の孔部４ｂから外部空間域に放出される。
【００４３】
外部空間域への内容物放出経路は、概略「弁作用部‐ステム内部通路域‐縦円筒状部２ｂ・横円筒状部２ｃのＬ字状通路部２ｄ‐ノズルホルダー３の内部空間域‐貫通部３ｄ‐直進溝状部３ｅ‐外縁環状空間域３ｈ‐渦巻き溝状部３ｇ‐中央凹部３ｆ‐金属ノズル４の孔部４ｂ」となる。
【００４４】
ここで、一対の貫通部３ｄおよび直進溝状部３ｅはそれぞれ後開口鞘状部３ｃの周方向に１８０度離間した対向状態にて形成され、四個の渦巻き溝状部３ｇはそれぞれ後開口鞘状部３ｃの周方向９０度離間の等間隔で形成されている。
【００４５】
また、直進溝状部３ｅの流出口は、渦巻き溝状部３ｇの隣同士の流入口の周方向中間部分に配設されている。これにより、当該直進溝状部から外縁環状空間域３ｈへと流れる内容物は四個の渦巻き溝状部３ｇに均等に流入することが期待できる。
【００４６】
そして、渦巻き溝状部３ｇのそれぞれより中央凹部３ｆに流入した内容物は安定的な旋回流となって金属ノズル４の孔部４ｂから外部空間域に放出される。
【００４７】
このような渦巻き溝状部３ｇへの内容物の均等流入により、外部空間域への内容物放出の勢いや放出粒子径の安定化を図れる。
【００４８】
利用者がＢ方向への押下げ回動操作を止めると、ボタン本体２は、周知のコイルスプリング（図示省略）の弾性力により上方向（Ｂ方向とは逆方向）に移動して図１相当の静止モード位置に復帰する。このとき、周知のバルブ作用部が初期の閉状態に復帰して内容物の放出動作を終えることは勿論である。
【００４９】
本発明が以上の実施形態に限定されないことは勿論であり例えば、
(41)ボタン本体２の前開口空間域２ｅに環状段部２ｇを形成しない、
(42)ノズルホルダー３の板バネ３ａに代えて、コイルスプリング，皿バネなどの各種弾性部材を用いる、
(43)ノズルホルダー３の後開口鞘状部３ｃの外側にこれと略同心の円柱状部を設けて、この後開口鞘状部と円柱状部との間の環状域に金属ノズル４が挿し込まれた形の放出側一体物を用いる、
(44)トリガレバー形式の内容物放出操作部を用いる、
(45)カバーキャップ１およびボタン本体２をプラスチック製，ガラス製などの金属製以外の各種容器本体に取り付ける、
ようにしてもよい。
【００５０】
本発明が適用されるエアゾール式製品およびポンプ式製品としては、洗浄剤，清掃剤，冷却剤，筋肉消炎剤，育毛剤，染毛剤，ヘアスタイリング剤，ヘアトリートメント剤，日焼け止め，化粧水，クレンジング剤，制汗剤，化粧品，シェービングフォーム，食品，液滴状のもの（ビタミンなど），医薬品，医薬部外品，園芸用剤，殺虫剤，害虫忌避剤，動物忌避剤，消臭剤，洗濯のり，消火器，塗料，接着剤，潤滑剤，ウレタンフォームなどの各種用途のものがある。
【００５１】
容器本体に収容される内容物としては、液状，クリーム状，ゲル状など種々の形態のものを用いる。内容物に配合される成分は例えば、粉状物，油成分，アルコール類，界面活性剤，高分子化合物，各用途に応じた有効成分，水などである。
【００５２】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，塩化マグネシウム，シリカ，酸化亜鉛，酸化チタン，ゼオライト，ナイロンパウダー，硫酸バリウム，セルロース，これらの混合物などを用いる。
【００５３】
油成分としては、ジメチルポリシロキサンなどのシリコーン油，ミリスチン酸イソプロピルなどのエステル油，パーム油，ユーカリ油，ツバキ油，オリーブ油，ホホバ油などの油脂，流動パラフィンなどの炭化水素油，ミリスチン酸，パルミチン酸，ステアリン酸，リノール酸，リノレン酸などの脂肪酸などを用いる。
【００５４】
アルコール類としては、エタノールなどの１価の低級アルコール，ラウリルアルコールやセタノールなどの１価の高級アルコール，エチレングリコール，１，３−ブチレングリコールやグリセリンなどの多価アルコールなどを用いる。
【００５５】
界面活性剤としては、ラウリル硫酸ナトリウムなどのアニオン性界面活性剤，ポリオキシエチレンアルキルエーテルやポリグリセリン脂肪酸エステルなどの非イオン性界面活性剤，ラウリルジメチルアミノ酢酸ベタインなどの両性界面活性剤，塩化アルキルトリメチルアンモニウムなどのカチオン性界面活性剤などを用いる。
【００５６】
高分子化合物としては、ヒドロキシエチルセルロース，メチルセルロース，ゼラチン，デンプン，カゼイン，キサンタンガム，カルボキシビニルポリマーなどを用いる。
【００５７】
各用途に応じた有効成分としては、パラフェニレンジアミン，アミノフェノールなどの染料，過酸化水素水などの酸化剤，アクリル系樹脂やワックスなどのセット剤，パラメトキシケイ皮酸２−エチルヘキシルなどの紫外線吸収剤，レチノールやｄｌ−α−トコフェロールなどのビタミン，ヒアルロン酸などの保湿剤，サリチル酸メチル，インドメタシンなどの消炎鎮痛剤，安息香酸ナトリウム，クレゾールなどの除菌剤，ピレスロイド，ジエチルトルアミドなどの害虫忌避剤，パラフェノールスルホン酸亜鉛などの制汗剤，カンフル，メントールなどの清涼剤，エフェドリン，アドレナリンなどの抗喘息薬，スクラロース，アスパルテームなどの甘味料，エポキシ樹脂，ウレタンなどの接着剤や塗料，パラフェニレンジアミン，アミノフェノールなどの染料，過酸化水素水などの酸化剤，リン酸二水素アンモニウム，炭酸水素ナトリウム・カリウムなどの消火剤などを用いる。
【００５８】
さらに、上記内容物以外の、懸濁剤，乳化剤，酸化防止剤，金属イオン封鎖剤なども用いることができる。
【００５９】
内容物放出射用の噴射剤としては、炭酸ガス，窒素ガス，圧縮空気，亜酸化窒素，酸素ガス，希ガス，これらの混合ガスなどの圧縮ガスや、液化石油ガス，ジメチルエーテル，ハイドロフルオロオレフィンなどの液化ガスを用いる。
【符号の説明】
【００６０】
１：カバーキャップ
２：ボタン本体
２ａ：回動基部
２ｂ：縦円筒状部
２ｃ：横円筒状部
２ｄ：Ｌ字状通路部
２ｅ：前開口空間域
２ｆ：環状底面
２ｇ：環状段部
２ｈ：中径内周面
【００６１】
３：ノズルホルダー
３ａ：計四個の板バネ
３ｂ：環鍔状部
３ｃ：後開口鞘状部
３ｄ：一対の貫通部
３ｅ：計二個の直進溝状部
３ｆ：中央凹部（旋回用合流部）
３ｇ：計四個の渦巻き溝状部
３ｈ：外縁環状空間域（外縁流路）
【００６２】
４：帽子状の金属ノズル
４ａ：円形状底部
４ｂ：孔部
４ｃ：円筒状部
４ｄ：環状カール部
Ａ：内容物放出方向
Ｂ：押下げ回動操作方向
【図１】
2016078870.tif 000003
【図２】
2016078870.tif 000004
【図３】
2016078870.tif 000005